(57)【特許請求の範囲】
【請求項１】
天井部から吊下げられ、垂直方向に長い基板部、この基板部の下端部から横方向に屈曲形成される受板部、及びこの受板部からさらに上方に屈曲形成される側板部を有するハンガー、に嵌入支持される野縁受であって、
上下に別れて形成され、それぞれ上記ハンガーの基板部又は側板部に接する上側の立上部及び下側の立上部と、
この上側の立上部の上端部及び下側の立上部の下端部から、それぞれ同一横方向に屈曲形成される上板部及び下板部と、
上記上板部及び下板部の各先端部からそれぞれ向かい合う方向に屈曲するとともに、上記ハンガーの側板部又は基板部に接する上端縁部及び下端縁部と、
上記上側の立上部の下部から下側の立上部の上部にわたり、上記上下板部の横幅寸法と略同寸法に突出して屈曲形成され、この屈曲した先端部が上記ハンガーの側板部又は基板部に当接する屈曲部と、を有することを特徴とする天井下地材の野縁受。
【請求項２】
上記屈曲部を、断面が９０度又は９０度以上の角度を有する２辺から形成したことを特徴とする請求項１に記載の天井下地材の野縁受。
【請求項３】
上記屈曲部を、断面半円状、又はこれより曲率半径の大きい円弧状に形成したことを特徴とする請求項１に記載の天井下地材の野縁受。
【発明の詳細な説明】
【０００１】
【発明の属する技術分野】
本発明は、天井下地材に用いられる天井下地材の野縁受に関する。
【０００２】
【従来の技術】
従来、天井下地材の野縁受としては、建築用鋼製下地材のＪＩＳ  Ａ６５１７規格に示されるように、断面コの字形状のもの（ＣＣ−１９）、図１０に示すように、このコの字形状の野縁受の上下端部を内側に屈曲形成した断面Ｃの字状の野縁受５０（実開昭５２−９７８１４号公報）がある。
【０００３】
この野縁受の品質を評価する場合、ＪＩＳ  Ａ６５１７規格では、図１１に示す下向き荷重試験によって行われる。この試験では、吊ボルト５１を用いて平行に野縁受５２を架設し、この野縁受５２にクリップを用いてシングル野縁５３を取付け、野縁受５２の上部に足場板５４（１２００×４００×２４ｍｍの合板）を載置する。そして、この足場板５４の上に７３５．５０Ｎ（７５ｋｇｆ）の荷重をかけたとき、野縁受５２の吊ボルト５１間中央の最大たわみ量及び残留たわみ量を測定する。この試験に用いる野縁受は、断面コの字形状で板厚は１．２ｍｍ（ＣＣ−１９）である。
【０００４】
測定は野縁受５２を２本について行い、いずれか大きな値をとる。規定に適合する野縁受の載荷強さは、最大たわみ量が５ｍｍ以下であり、かつ、上述した７３５．５０Ｎ（７５ｋｇｆ）の荷重を取り除いたときの残留たわみ量が２ｍｍ以下となる性能が要求されている。この規定には、天井裏で作業を行う場合、足場板を野縁受に渡して作業することがあり、このとき７３５．５０Ｎ（７５ｋｇｆ）の荷重を取り除いたとき、野縁受の残留たわみ量が少なく充分な復元力をもっていることが背景にある。
【０００５】
【発明が解決しようとする課題】
さて、上記規格とは別に一般市場においては、板厚が１．０ｍｍもしくは０．９ｍｍ等、製品コスト及び軽量化等の点で、ＪＩＳ規格の野縁受と比べて板厚を薄くした野縁受が一般品として出回っている。このような板厚の薄い野縁受では、上記荷重試験を行った場合、板厚の関係で上記規格を満足する結果は得られない。しかし、市場においては、製品コストの削減、或いは軽量化の要望が根強い。
【０００６】
本発明は、上記問題点に鑑みてなされたものであり、強度が維持され、経済性にも優れるとともに製品の軽量化、省資源化が図れる天井下地材の野縁受を提供することを課題としている。
【０００７】
【課題を解決するための手段】
以上の技術的課題を解決するため、本発明に係る天井下地材の野縁受は、天井部から吊下げられ、垂直方向に長い基板部２１、この基板部の下端部から横方向に屈曲形成される受板部２２、及びこの受板部からさらに上方に屈曲形成される側板部２３を有するハンガー２、に嵌入支持される野縁受であって、上下に別れて形成され、それぞれ上記ハンガーの基板部２１又は側板部２３に接する上側の立上部１１ａ及び下側の立上部１１ｂと、この上側の立上部の上端部及び下側の立上部の下端部から、それぞれ同一横方向に屈曲形成され、ハンガーの受板部の内寸より僅かに短い長さを有する上板部１２ａ及び下板部１２ｂと、上記上側の立上部１１ａの下部から下側の立上部１１ｂの上部にわたり、上記上下板部の横幅寸法と略同寸法に突出して屈曲形成され、この屈曲した先端部が上記ハンガーの側板部２３又は基板部２１に当接する屈曲部１５と、を有するものである。
【０００８】
また、本発明に係る天井下地材の野縁受は、上記上板部及び下板部の各先端部から、それぞれ向かい合う方向に屈曲する上端縁部１３ａ及び下端縁部１３ｂを有するものである。
【０００９】
さらに本発明に係る天井下地材の野縁受は、上記屈曲部１５を、断面が９０度又は９０度以上の角度を有する２辺１５ａ，１５ｂから形成したものである。また、本発明に係る天井下地材の野縁受は、上記屈曲部を、断面半円状、又はこれより曲率半径の大きい円弧状に形成したものである。
【００１０】
【発明の実施の形態】
以下本発明の実施の形態に係る天井下地材の野縁受を図面に基づいて説明する。
図１は、上記天井下地材の野縁受１の側面図を示したものである。この野縁受１は、鋼板を屈曲成形したものであり、上下に別れて垂直方向に形成される上側の立上部１１ａ及び下側の立上部１１ｂと、この上側の立上部１１ａの上端部及び下側の立上部１１ｂ下端部から前方水平状に屈曲形成され、ハンガーの受板部の内寸より僅かに短い長さを有する上板部１２ａ及び下板部１２ｂと、この上板部１２ａと下板部１２ｂから、それぞれ向かい合う方向に直角に折曲した上端縁部１３ａ及び下端縁部１３ｂとを有し、これら上下端縁部１３ａ，１３ｂ間には開口部１４が形成されている。
【００１１】
さらに上記野縁受１は、上記上側の立上部１１ａの下部から下側の立上部１１ｂの上部にかけて、前方の開口部１４方向に、上下板部１２ａ，１２ｂの幅寸法と同寸の突出高さ（上下端縁部１３ａ，１３ｂの前端部の位置）の先端部１６を有して三角形の２辺１５ａ，１５ｂをなす「く」の字形状に屈曲形成された屈曲部１５を有している。そして、この屈曲部１５の２辺１５ａ，１５ｂがなす角度を略１００度としている。
【００１２】
上記野縁受１は、図２に示すように、天井スラブ等の天井部から吊下げられるハンガー２に嵌入支持される。このハンガー２は、天井スラブから吊下げられた吊ボルト３にナット４等により高さ調整可能に吊り下げられている。このハンガー２は鋼板を屈曲成形したものであり、垂直方向に長い基板部２１、この基板部２１の下端部から前方に水平に屈曲形成される受板部２２、この受板部２２からさらに上方垂直方向に屈曲形成される側板部２３、及び基板部２１の上端から後方に屈曲する支持部２４を有している。
【００１３】
このように上記ハンガー２は、基板部２１、受板部２２及び側板部２３によって断面Ｕ字形状に形成され、上向の開口部２７を有する。さらにハンガー２の側板部２３の上部を、緩く後側に屈曲して係止部２５を形成し、さらに前側斜め上方に屈曲してスライド部２６を形成している。上記吊ボルト３にハンガー２の支持部２４を挿通させ、支持部２４の上下側からナット４を用いてハンガー２を固定する。
【００１４】
野縁受１をハンガー２に装着する場合には、開口部２７からスライド部２６を利用して野縁受１を押し込み、野縁受１の下板部１２ｂがハンガー２の受板部２２に当接する位置で、野縁受１の上端部が側板部２３の係止部２５に係止され、ハンガー２の断面Ｕ字形状の内部に野縁受１を嵌入保持する。この状態で、野縁受１の上下側立上部１１ａ，１１ｂはハンガー２の基板部２１に接する一方、野縁受１の上下端縁部１３ａ，１３ｂ及び屈曲部１５の先端部１６がそれぞれハンガー２の側板部２３に当接する。
【００１５】
なお、図３に示すように、ハンガー２の前後の向きを変えて、野縁受１の上下側立上部１１ａ，１１ｂがハンガー２の側板部２３に当接する一方、野縁受１の上下端縁部１３ａ，１３ｂ及び屈曲部１５の先端部１６がそれぞれハンガー２の基板部２１に接するようにしても、作用効果は上記もとの向きの場合と同様である。
【００１６】
上記野縁受１を用いて天井構造を構築する場合には、所定の間隔をおいて平行な位置に吊ボルト３をハンガー２を取付けて設置し、ナット４によってハンガー２の高さを調節する。そして、ハンガー２に野縁受１を嵌入してハンガー２間に野縁受１を架設する。
【００１７】
さらに、図４に示すように、クリップ７を用いて野縁受１と直交する状態に野縁材５を設置する。このクリップ７には、基板の下部に野縁材５を係止する係止部２８が設けられ、また基板の上部には野縁受１に引っ掛ける掛止部２９を有している。野縁材５は断面Ｃ字状であり、このＣ字溝にクリップ７の係止部２８を係止する。野縁材５にクリップ７を係止させ、このクリップ７の掛止部２９を野縁受１に引っ掛けて、野縁材５を格子状に取り付ける。そして野縁材５の下面部に内装ボードを止着する。
【００１８】
さて、図５及び図６に示すように、吊ボルト３及びハンガー２によって吊り下げられ、平行状態の２つの野縁受１の各中央部の上部に足場板６を載置し、この足場板６に荷重（Ｆ）を加える。このとき野縁受１は荷重によって撓む。すると、野縁受１の屈曲部１５の先端部１６はハンガー２の側板部２３に押しつけられ、野縁受１の下板部１２ｂだけでなく、屈曲部１５が接するところに荷重の支点ができ、これにより野縁受１のたわみを小さくすることができる。
【００１９】
上記天井構造を構成する野縁受１の性能を評価する荷重試験を、上記ＪＩＳＡ６５１７の規定に基づいて行った。図７（ａ）は上記野縁受１を、図７（ｂ）はＪＩＳ規格１９形（ＣＣ−１９）の野縁受４０を、図７（ｃ）は一般用として用いられている野縁受３０の形状を示したものである。野縁受としての、高さＡ（Ａ＝３８ｍｍ）、幅Ｂ（Ｂ＝１２ｍｍ）等の基本的な外形のサイズは（ａ）（ｂ）（ｃ）共に同じである。異なる点は、野縁受１の厚さｔは（ｔ＝０．５）であるのに対して、ＪＩＳ１９形の野縁受４０の厚さｔは（ｔ＝１．２）、一般用の野縁受３０の厚さｔは（ｔ＝０．９）である点、及び野縁受１は屈曲部１５、端縁部１３ａ，１３ｂを有している点である。
【００２０】
図９は上記荷重試験の結果を示したものである。図７（ｃ）の一般用野縁受３０は、最大たわみ量５．４６ｍｍ、残留たわみ量０．３１ｍｍであり、ＪＩＳＡ６５１７の規定値（最大たわみ量５ｍｍ以下）を満たすことができない。これに対して、図７（ａ）の野縁受１は、最大たわみ量は４．１６ｍｍ、残留たわみ量は０．０７ｍｍであり、ＪＩＳの規定値を満足する。また、図７（ａ）の野縁受１は、これを平面に展開したときの展開幅は８０．８ｍｍであり、図７（ｂ）（ｃ）のようなコの字形の野縁受の展開幅５８．４ｍｍからすると大きくなる。
【００２１】
しかし、図７（ａ）の野縁受１は、板厚を０．５ｍｍとしているので、１ｍ当りの単位重量は０．３１７ｋｇ／ｍとなり、図７（ｃ）に示す板厚０．９ｍｍの野縁受３０の単位重量０．４０９６ｋｇ／ｍの７７．４％となる。このため図７（ａ）の野縁受１は、２２．６％省資源化が図れ、低コストの天井下地材が提供できる。また、図７（ｂ）に示す板厚１．２ｍｍのＪＩＳ規格の野縁受４０と比較した場合、図７（ａ）の野縁受１は、単位重量比が５７．９％であり、約４２％の省資源化が図れる。
【００２２】
図８は、野縁受の他の形態を示したものである。これらは、高さＡ（Ａ＝３８ｍｍ）、幅Ｂ（Ｂ＝１２ｍｍ）、及び厚さ（ｔ＝０．５）等の野縁受としての基本的な外形のサイズは、図７（ａ）に示す野縁受１と同じである。各野縁受の異なる点は、屈曲部１５の形状である。
【００２３】
図８（ａ）に示す野縁受３１は、屈曲部１５の２辺１５ａ，１５ｂのなす角度を９０度としている。この野縁受３１についても、端縁部１３ａ，１３ｂの前端部同士を結ぶ線上に屈曲部１５の先端部１６が位置している。
【００２４】
この図８（ａ）に示す野縁受３１について上記荷重試験を行った結果、図９に示すように、野縁受３１の、最大たわみ量は４．３１ｍｍ、残留たわみ量は０．２１ｍｍであり、ＪＩＳの規定値を満足する。また、単位重量は０．３１９６ｋｇ／ｍとなり、省資源化が図れる。このように図７（ａ）の野縁受１（角度略１００度）は、図８（ａ）の野縁受３１（角度９０度）と比べて、たわみ量の特性が優れ、屈曲部１５の２辺１５ａ，１５ｂのなす角度は９０度以上がより好適である。
【００２５】
図８（ｂ）及び（ｃ）に示す野縁受３２，３３は、屈曲部１５が円弧状のものである。図８（ｂ）の野縁受３２は、屈曲部１５の円弧が半円（Ｒ１２ｍｍ）であり、また図８（ｃ）の野縁受３３は、屈曲部１５の円弧が１／３円程度の形状（曲率半径がＲ１２より大きい）であり、ともに野縁受の端縁部１３ａ，１３ｂの前端部同士を結ぶ線上に屈曲部１５の先端部１６が位置している。
【００２６】
この図８（ｂ）に示す野縁受３２について、上記荷重試験を行った結果、野縁受３２の最大たわみ量は３．８５ｍｍ、残留たわみ量は０．２０ｍｍであり、ＪＩＳの規定値を満足する。また、単位重量は０．３３３ｋｇ／ｍとなり、省資源化が図れる。このように野縁受３２は、図７（ａ）の野縁受１に比べて、たわみ量の特性がさらに優れ、屈曲部１５を円弧状に形成するのは好適である。この図８（ｃ）に図示されている野縁受３３についても、野縁受３２と同程度の荷重特性が得られるものと予測される。
【００２７】
図８（ｄ）及び（ｅ）に示す野縁受３４，３５は、屈曲部１５が台形状のものである。図８（ｄ）に示す野縁受３４は屈曲部の台形の斜辺同士のなす角度が９０度以上、また図８（ｅ）に示す野縁受３５は屈曲部の台形の斜辺同士のなす角度が９０度より少し小さい形状であり、ともに野縁受の端縁部１３ａ，１３ｂの前端部同士を結ぶ線上に屈曲部１５の先端部１６が位置している。これら野縁受３４，３５についても、図８（ａ）に示す野縁受３１と同程度の荷重特性が得られるものと予測される。
【００２８】
従って上記実施の形態に係る野縁受によれば、野縁受の板厚を０．５ｍｍと薄くしても、ＪＩＳ  Ａ６５１７の下向き載荷荷重試験の最大たわみ量、残留たわみ量の規格を満たすことができ、十分な強度が維持され、かつＪＩＳ６５１７に規定されている板厚が１．２ｍｍの野縁受（ＣＣ−１９）と比べて材料の大幅な削減が図れ、経済性にも優れ、また板厚が０．９ｍｍの一般品と比較しても材料の削減が図れ、省資源化にも寄与する。また、上記各野縁受は、一枚板からロールフォーミングで形成することがかのうであり、このためスタット成形するときに必要なカシメ作業の必要がなく、周長も少なくて済むという利点がある。
【００２９】
【発明の効果】
以上説明したように、本発明に係る天井下地材の野縁受によれば、ハンガーに嵌入支持される野縁受であって、上下に別れて形成される立上部と、横方向に屈曲形成される上板部及び下板部と、上下板部の横幅寸法と略同寸法に突出して屈曲形成される屈曲部とを有するものとしたから、十分な強度が維持され、経済性にも優れるとともに製品の軽量化、省資源化が図れるという効果がある。
【００３０】
また、本発明に係る天井下地材の野縁受によれば、上板部及び下板部の各先端部から、それぞれ向かい合う方向に屈曲する上端縁部及び下端縁部を有するものとしたから、強度が補強されるという効果がある。
【００３１】
さらに本発明に係る天井下地材の野縁受によれば、屈曲部を、断面が９０度又は９０度以上の角度を有する２辺から形成し、又は、断面半円状、又はこれより曲率半径の大きい円弧状に形成したから、成形が容易であるとともに十分な強度が確保できるという効果がある。
【図面の簡単な説明】
【図１】本発明の実施の形態に係る天井下地材の野縁受の構成図である。
【図２】実施の形態に係り、野縁受をハンガーに嵌入した状態を示す図である。
【図３】実施の形態に係り、野縁受をハンガーに嵌入した他の状態を示す図である。
【図４】実施の形態に係り、野縁受に野縁材を取付けた状態を示す図である。
【図５】実施の形態に係り、野縁受に荷重を加えた状態を示す図である。
【図６】実施の形態に係り、野縁受に荷重を加えた他の状態を示す図である。
【図７】本発明の実施の形態に係る野縁受（ａ）と、ＪＩＳ及び一般の野縁受（ｂ），（ｃ）との比較図である。
【図８】本発明の実施の形態に係り、野縁受の種々の形態（ａ），（ｂ），（ｃ），（ｄ），（ｅ）を示す図である。
【図９】荷重試験の結果を示す表である。
【図１０】従来例に係る野縁受を示す図である。
【図１１】野縁受の下向き荷重試験を示す図である。
【符号の説明】
１  野縁受
２  ハンガー
１１ａ  上側の立上部
１１ｂ  下側の立上部
１２ａ  上板部
１２ｂ  下板部
１３ａ  上端縁部
１３ｂ  下端縁部
１５  屈曲部
２１  基板部
２３  側板部
【図１】
0004523101.tif 000002
【図２】
0004523101.tif 000003
【図３】
0004523101.tif 000004
【図４】
0004523101.tif 000005
【図５】
0004523101.tif 000006
【図６】
0004523101.tif 000007
【図７】
0004523101.tif 000008
【図８】
0004523101.tif 000009
【図９】
0004523101.tif 000010
【図１０】
0004523101.tif 000011
【図１１】
0004523101.tif 000012